(57)【要約】      （修正有）【課題】着用者の足のサイズに容易に対応させることができる靴を提供する。【解決手段】履き口後部３１が、着用者の足のサイズに応じて前後に移動可能とされており、靴本体２に対して出し入れされる紐部による履き口後部３１の前後方向の固定、または、引っ掛け金具による履き口後部３１の固定により、着用状態で前記履き口後部３１を位置決めする位置決め機構４を備えた靴１である。【選択図】図２
0003233739.tif 000002
【実用新案登録請求の範囲】
【請求項１】
履き口後部が、着用者の足のサイズに応じて前後に移動可能とされており、
着用状態で前記履き口後部を位置決めする位置決め機構を備えた靴。
【請求項２】
前記位置決め機構は、一部が靴本体に固定され、着用者の足のサイズに応じて前記靴本体に対して出し入れされる紐部と、前記紐部の前記靴本体からの出し入れ状態を固定するストッパーと、を備えた請求項１に記載の靴。
【請求項３】
前記紐部は、両端が前記靴本体に固定され、中間のループ部分に前記ストッパーが係合されることで、前記靴本体からの出し入れ状態が固定される、請求項２に記載の靴。
【請求項４】
前記履き口後部が、ゴムを有したギャザーで構成されている、請求項１〜３のいずれかに記載の靴。
【請求項５】
前記位置決め機構はゴム紐を有しており、このゴム紐が前記ギャザーに取り付けられている、請求項４に記載の靴。
【考案の詳細な説明】
【技術分野】
【０００１】
本考案は靴に関するものである。
【背景技術】
【０００２】
種々の靴が市場で出回っている。ここで、踵が覆われないタイプの靴（サンダル等）は別として、通常の靴はサイズが固定的であって、ユーザー（着用者）は、自分の足のサイズに合う靴を探して購入している。
【考案の概要】
【考案が解決しようとする課題】
【０００３】
しかし、このような固定的なサイズの靴では、ぴったり合うサイズが左足と右足とで異なっていることも多く、ユーザーの満足感が十分に得られるものではなかった。また、靴メーカーや流通業者においても、多くのサイズの靴を用意しなければならないことから、製造コストや流通コストがかさむことになっていた。
【０００４】
そこで本考案は、着用者の足のサイズに容易に対応させることができる靴の提供を課題とする。
【課題を解決するための手段】
【０００５】
本考案は、履き口後部が、着用者の足のサイズに応じて前後に移動可能とされており、着用状態で前記履き口後部を位置決めする位置決め機構を備えた靴である。
【０００６】
この構成によれば、履き口後部が着用者の足のサイズに応じて前後に移動可能なので、着用者に高いフィット感を与えることができる。そして、位置決め機構でフィット感を保つことができる。
【０００７】
そして、前記位置決め機構は、一部が靴本体に固定され、着用者の足のサイズに応じて前記靴本体に対して出し入れされる紐部と、前記紐部の前記靴本体からの出し入れ状態を固定するストッパーと、を備えたものとできる。
【０００８】
この構成によれば、位置決め機構が紐部とストッパーとの組み合わせにより、フィット感を保つための調整を簡単にできる。
【０００９】
そして、前記紐部は、両端が前記靴本体に固定され、中間のループ部分に前記ストッパーが係合されることで、前記靴本体からの出し入れ状態が固定されるものとできる。
【００１０】
この構成によれば、紐部のループ部分にストッパーが係合されるため、フィット感を保つための構成を簡単にできる。
【００１１】
そして、前記履き口後部が、ゴムを有したギャザーで構成されているものとできる。
【００１２】
この構成によれば、簡単な構成で着用者の足のサイズに応じて前後に移動可能な履き口後部を形成できる。
【００１３】
そして、前記位置決め機構はゴム紐を有しており、このゴム紐が前記ギャザーに取り付けられているものとできる。
【００１４】
この構成によれば、ゴム紐をギャザーに取り付けることで、ゴムを有したギャザーを形成できる。
【考案の効果】
【００１５】
本考案によれば、着用者に高いフィット感を与えることができ、そのフィット感を保持できる。このため、着用者の足のサイズに容易に対応させることができる。
【図面の簡単な説明】
【００１６】
【図１】本考案の一実施形態に係る靴を示す、前方側の斜視図である。
【図２】前記靴を示す、後方側の斜視図である。
【図３】前記靴に設けられる位置決め機構を示す部分拡大斜視図である。
【図４】前記靴の側面図であって、（Ａ）は大きい足サイズに対応させた場合を示し、（Ｂ）は小さい足サイズに対応させた場合を示す。
【図５】前記靴の平面図であって、（Ａ）は大きい足サイズに対応させた場合を示し、（Ｂ）は小さい足サイズに対応させた場合を示す。
【図６】本考案の位置決め機構に関し、（Ａ）（Ｂ）とも他の形態を単体（ストッパー単体も含む）で示した斜視図である。
【図７】本考案の他の実施形態に係る靴に設けられる位置決め機構を示す部分拡大斜視図である。
【図８】本考案のさらに他の実施形態に係る靴を示す、前方側の斜視図である。
【考案を実施するための形態】
【００１７】
次に、本考案につき、一実施形態を取り上げて説明を行う。なお、以下の説明における前後方向は、つま先側を「前方」、踵側を「後方」としている。
【００１８】
本実施形態の靴１は女性用のパンプスである。なお、各図には左足分を示しているが、図示しない右足分についても左足分と同構造とされている。この靴１は、着用者の足を覆う靴本体２を有している。靴本体２の後半部には上方に開口した履き口３が形成されている。
【００１９】
この靴１では、履き口後部３１が、着用者の足のサイズに応じて前後に移動可能とされている。具体的には、履き口３のうち、着用者の踵部分を周回する部分が、ゴムを有したギャザーで構成されている。本実施形態のゴムは位置決め機構４の紐部４１であるゴム紐であって、ギャザーに内蔵されることで取り付けられているが、これに限定されるものではない。着用者が履き口３から足を靴本体２に入れた際、ゴムを有したギャザーが伸縮する。このように、履き口後部３１が着用者の足のサイズに応じて前後に移動可能なので、着用者に高いフィット感を与えることができる。また、左足と右足とでサイズが異なる場合の対応もできる。本実施形態の靴１では、設定サイズと５mmのずれまでであれば、高いフィット感での着用が可能である。なお、許容できるずれは５mmに限定されるものではなく、ギャザーの設定形状を変更すること等で適宜変更できる。また、履き口後部３１は着用時に着用者に正対した者からは見えにくいので、その者に視覚的な違和感を生じさせにくい。また、履き口後部３１がゴムを有したギャザーで構成されているので、簡単な構成で着用者の足のサイズに応じて前後に移動可能な履き口後部３１を形成できる。
【００２０】
また、この靴１は、着用状態で履き口後部３１を前後方向で位置決めする位置決め機構４を備える。位置決め機構４は、図３に示すように紐部４１とストッパー４２とを備える。紐部４１は、一部が靴本体２に固定され、着用者の足のサイズに応じて靴本体２に対して出し入れされる部分である。紐部４１は、両端が靴本体２における、履き口３周辺で前後方向に移動しにくい部分に固定されている。紐部４１は、本実施形態ではゴム紐が用いられている。固定は、例えば縫製により行うことができるが、例えば図７に示すように、履き口後部３１に設けられた複数の穴に紐部４１が通され、端の穴において紐部４１に結び目４４を形成して固定する等、種々の方法で行うことができる。また紐部４１は、例えば図８に示すように、履き口３の前部を含むように（図示の例では履き口３の全周にわたって）取り付けることもできる。
【００２１】
ストッパー４２は、紐部４１の靴本体２からの出し入れ状態を、係合により固定する部分である。図３に示すように、ストッパー４２は靴本体２の後方に飛び出した、紐部４１の中間のループ状部分の基端側に取り付けられている。なお、ストッパー４２は靴本体２に対して固定されていても、固定されていなくてもよい。ストッパー４２がこのループ状部分の紐部４１を挟み込むことで、紐部４１（ループ状部分）の靴本体２の後方への飛び出し量を固定できる。なお、本実施形態では、紐部４１におけるループ状の部分に持ち手４３が設けられている。このため、紐部４１を後方に引っ張ることが簡単にできる。従って、履き口後部３１の着用者の足のサイズに応じた前後の移動量を固定できる。なお、持ち手４３は、図７に示すような形状であってもよい。
【００２２】
この位置決め機構４により、履き口後部３１の位置が固定されるため、履き口後部３１を前後に移動可能にしたことによる着用者のフィット感を保つことができる。ここで、履き口後部３１を前後に移動可能としただけでは、例えば着用者の足が靴１の設定サイズよりも小さい場合、ゴムを有したギャザーの足への締め付けが緩くなって、着用時に靴１が脱げやすくなることがある。これに対し、位置決め機構４により履き口後部３１の位置を固定すると、着用時に靴１が脱げにくくなるので、前記問題を改善できる。このように本実施形態では、履き口後部３１を前後に移動可能としたことに加えて位置決め機構４を設けたことで、着用者の足のサイズへの追従性と、着用中の靴１の脱げにくさを両立できる。また、本実施形態の位置決め機構４は紐部４１とストッパー４２との組み合わせであるから、紐部４１を引っ張ってストッパー４２を操作するだけでフィット感を保つための調整をできる。このため、調整を簡単にできる。
【００２３】
本実施形態の靴１は、相対的に大きい足サイズに対応させる場合には、図４（Ａ）及び図５（Ａ）に示すように、履き口後部３１が後方に位置するようになる。また、相対的に小さい足サイズに対応させる場合には、紐部４１を引っ張ってストッパー４２で紐部４１を固定することで、図４（Ｂ）及び図５（Ｂ）に示すように、履き口後部３１が前方に位置するようになる。このようにして、大きい足サイズの着用者にも、小さい足サイズの着用者にも、高いフィット感を与えることができる。
【００２４】
以上、本考案の一実施形態について説明したが、本考案は前記実施形態に限定されるものではなく、本考案の要旨を逸脱しない範囲内において種々の変更を加えることができる。
【００２５】
例えば、前記実施形態の靴はパンプスであったが、踵が覆われるタイプの靴であれば、例えば紳士靴や運動靴等、種々の靴に適用が可能である。
【００２６】
また、前記実施形態の履き口後部３１は、ゴムを有したギャザーで構成されていたが、ギャザーの代わりに例えばスリットを設けることもできる。また、ゴムのような弾性体を有さず、ただ、履き口後部３１が靴本体２の他部分に対して自由状態とされていて、前後に移動可能とされているだけでもよい。また、ギャザーが有するゴムは、前記実施形態のようにゴム紐である紐部４１が兼ねるものであってもよいし、紐部４１とは別個に設けられていてもよい。
【００２７】
また、位置決め機構４は、前記実施形態では紐部４１とストッパー４２との組み合わせであったが、着用状態で履き口後部３１を位置決めできるものであれば、紐部４１とストッパー４２との組み合わせには限定されず種々の構成とできる。例えば、面ファスナーを有するベルトや、引っ掛け金具（ホック等）を用いた構成であってもよい。また、紐部４１とストッパー４２との組み合わせであっても、例えば図６（Ａ）（Ｂ）や図７に示す各種形状を有した構成等、種々の構成とできる。
【符号の説明】
【００２８】
１          靴
２          靴本体
３          履き口
３１        履き口後部
４          位置決め機構
４１        紐部、ゴム紐
４２        ストッパー
４３        持ち手
４４        結び目
【図１】
0003233739.tif 000003
【図２】
0003233739.tif 000004
【図３】
0003233739.tif 000005
【図４】
0003233739.tif 000006
【図５】
0003233739.tif 000007
【図６】
0003233739.tif 000008
【図７】
0003233739.tif 000009
【図８】
0003233739.tif 000010
【手続補正書】
【提出日】令和3年6月30日(2021.6.30)
【手続補正１】
【補正対象書類名】実用新案登録請求の範囲
【補正対象項目名】全文
【補正方法】変更
【補正の内容】
【実用新案登録請求の範囲】
【請求項１】
履き口後部が、着用者の足のサイズに応じて前後に移動可能とされており、 靴本体に対して出し入れされる紐部による前記履き口後部の前後方向の固定、または、引っ掛け金具による前記履き口後部の前後方向の固定により、着用状態で前記履き口後部を位置決めする位置決め機構を備えた靴。
【請求項２】
前記位置決め機構は、一部が前記靴本体に固定され、着用者の足のサイズに応じて前記靴本体に対して出し入れされる前記紐部と、前記紐部の前記靴本体からの出し入れ状態を係合により固定するストッパーと、を備えた請求項１に記載の靴。
【請求項３】
前記紐部は、前記履き口の全周にわたって取り付けられており、前記履き口後部から出た部分に前記ストッパーが係合されることで、前記靴本体からの出し入れ状態が固定される、請求項２に記載の靴。
【請求項４】
前記履き口後部が、ゴムを有したギャザーで構成されている、請求項１〜３のいずれかに記載の靴。
【請求項５】
前記位置決め機構はゴム紐を有しており、このゴム紐が前記履き口後部に取り付けられたことで前記ゴムを有したギャザーとなっている、請求項４に記載の靴。
【手続補正２】
【補正対象書類名】明細書
【補正対象項目名】０００５
【補正方法】変更
【補正の内容】
【０００５】  本考案は、履き口後部が、着用者の足のサイズに応じて前後に移動可能とされており、靴本体に対して出し入れされる紐部による前記履き口後部の前後方向の固定、または、引っ掛け金具による前記履き口後部の前後方向の固定により、着用状態で前記履き口後部を位置決めする位置決め機構を備えた靴である。
【手続補正３】
【補正対象書類名】明細書
【補正対象項目名】０００７
【補正方法】変更
【補正の内容】
【０００７】  そして、前記位置決め機構は、一部が前記靴本体に固定され、着用者の足のサイズに応じて前記靴本体に対して出し入れされる前記紐部と、前記紐部の前記靴本体からの出し入れ状態を係合により固定するストッパーと、を備えたものとできる。
【手続補正４】
【補正対象書類名】明細書
【補正対象項目名】０００９
【補正方法】変更
【補正の内容】
【０００９】  そして、前記紐部は、前記履き口の全周にわたって取り付けられており、前記履き口後部から出た部分に前記ストッパーが係合されることで、前記靴本体からの出し入れ状態が固定されるものとできる。
【手続補正５】
【補正対象書類名】明細書
【補正対象項目名】００１０
【補正方法】変更
【補正の内容】
【００１０】  この構成によれば、紐部において履き口後部から出た部分にストッパーが係合されるため、フィット感を保つための構成を簡単にできる。
【手続補正６】
【補正対象書類名】明細書
【補正対象項目名】００１３
【補正方法】変更
【補正の内容】
【００１３】  そして、前記位置決め機構はゴム紐を有しており、このゴム紐が前記履き口後部に取り付けられたことで前記ゴムを有したギャザーとなっているものとできる。